(57)【要約】      （修正有）【課題】冷凍庫、オーブンレンジ内での使用が可能であるとともに、重ね状態からの取り外しが容易に行われ、また、取り外しの際に手に吸着することがないことで取り扱い性に優れる使い捨てカップを提供する。【解決手段】シート基材が型成形によりカップ形態とされた使い捨てカップにおいて、シート基材が、２枚のポリエチレンテレフタレート樹脂フィルムがその間に模様層７を持つように積層されて形成され、かつ、その内面側及び／又は外面側にシリコン樹脂等よりなる滑り層２０が付設された使い捨てカップ。【選択図】図２
0003149229.tif 000002
【実用新案登録請求の範囲】
【請求項１】
シート基材が型成形によりカップ形態とされた使い捨てカップにおいて、
前記シート基材が、互いに相対する面のどちらかに印刷層を持つ２枚のポリエチレンテレフタレート樹脂フィルムが積層されて形成され、かつ、その内面側及び／又は外面側に滑り層が付設されてなることを特徴とする使い捨てカップ。
【請求項２】
前記滑り層がシリコン樹脂層よりなる請求項１記載の使い捨てカップ。
【考案の詳細な説明】
【技術分野】
【０００１】  この考案は、シート基材が型成形によりカップ形態とされたもので、弁当箱内におかずを区分けして入れるように用いたり、また、小さな菓子等を入れるように用いる使い捨てカップに関する。
【背景技術】
【０００２】  上記の使い捨てカップは通常２層構成とされている。これは、模様印刷が直接食品に触れることがないように下層のフィルム面に設けた模様印刷を上層のフィルムやオーバーコート層により覆うことによる。一方最近においては、冷凍庫、オーブンレンジ内での使用が行えるように広い温度範囲において使用可能な使い捨てカップの開発が進められている。このような観点において、ポリエチレンテレフタレート（以下ＰＥＴとする）樹脂フィルムの２層構造の使い捨てカップが提供されている。
【考案の開示】
【考案が解決しようとする課題】
【０００３】  しかしながら、この種使い捨てカップには使用に際し、次に説明するように取り扱いが行いにくいという問題がある。すなわち、使い捨てカップは多数枚のシート基材が型成形によりカップ形態とされることにより得られ、その重ねられた状態において、弁当製造業者や一般の使用者等に提供される。したがって、使用時に重ね状態のカップを取り外す必要があるが、カップが互いに密着していて取り外しにくい、また、取り外したカップが手に吸着しやすいという問題がある。これらの問題は、型成形時のカシメによってカップどうしが互いに圧接していること、また、カップが製造時に発生する静電気に帯電することに起因すると考えられる。【０００４】  この考案は上記の事情に鑑みて行ったもので、冷凍庫、オーブンレンジ内での使用が可能であるとともに、重ね状態からの取り外しが容易に行われ、また、取り外しの際に手に吸着することがない取り扱い性に優れる使い捨てカップの提供を目的とする。
【課題を解決するための手段】
【０００５】  この考案では、シート基材が型成形によりカップ形態とされた使い捨てカップにおいて、前記シート基材が、互いに相対する面のどちらかに印刷層を持つ２枚のポリエチレンテレフタレート樹脂フィルムが積層されて形成され、かつ、その内面側及び／又は外面側に滑り層が付設されてなることを特徴とする使い捨てカップを提供する。【０００６】  上記構成の使い捨てカップは、内側及び又は外側に滑り層を備えていることで重ね状態の使い捨てカップどうしの密着や、使い捨てカップの手等への吸着が防止される。滑り層は、例えばポリエチレンテレフタレート樹脂フィルム面にシリコン樹脂等が付設されることによって得られ、そのように耐熱性に優れるシリコン樹脂等を用いて形成することで、使い捨てカップは冷凍庫、オーブンレンジ内で支障なく使用できる。【０００７】  この考案の使い捨てカップは、型成形によりカップ形状を呈するものであれば、その平面形状は円形、楕円形、四角形、三角形等適宜の形態であってよい。また、模様層は２枚のポリエチレンテレフタレート樹脂フィルム面のどちらの側に設けられてもよい。
【考案の効果】
【０００８】  この考案によれば、冷凍庫、オーブンレンジ内での使用が可能であるとともに、重ね状態からの取り外しが容易に行われ、また、取り外しの際に手に吸着することがない、取り扱い性に優れる使い捨てカップが得られる。
【考案を実施するための最良の形態】
【０００９】  図１はこの考案の使い捨てカップの第１の実施形態の外観斜視図、図２は同部分拡大断面図である。【００１０】  使い捨てカップ１は、縦方向に複数本の折り込み部３が並設されたロート状に開く周壁部２と、その下部に連続一体の略円形の底部３とからなり、全体が一枚の円形の基材シート５よりなる。使い捨てカップ１の製造は、多数枚重ねられた基材シート５が型内に納められ加熱成形されることで行われる。【００１１】  上記基材シート５としては、図２の断面図に示すように、外面に印刷層７が付された内側ＰＥＴ樹脂フィルム８の外面に、外面にシリコン樹脂塗料が塗布されて形成された滑り層２０を有する外側ＰＥＴ樹脂フィルム９が、接着剤１０により貼り付けられたものが用いられている。印刷層７が、例えば全体が緑色とされることで、ＰＥＴ樹脂フィルム８、９、接着剤１０、滑り層２０がともに透明であるので使い捨てカップ１は全体外観が緑色となる。印刷層７は適宜模様を持つものとされてもよい。この印刷層７は内側ＰＥＴ樹脂フィルム８に完全に覆われることで、使い捨てカップ１内に入れた食品に接触することはない。また、この使い捨てカップ１は、２枚のＰＥＴ樹脂フィルム８，９よりなる基材シート５よりなり、かつ、滑り層２０もシリコン樹脂よりなることで、冷凍庫、オーブンレンジ内での使用が支障なく行える。【００１２】  重ね状態の上記使い捨てカップ１において１個のものを取り外す際、従来のもの（滑り層２０を持たないもの）に比して、使い捨てカップ１どうしの密着がほとんどなかった。また、取り外した使い捨てカップ１の外面側は手に吸着しなかった。これらは、内側ＰＥＴ樹脂フィルム９の外面に滑り層２０が備えられていることによる。【００１３】  図３、図４、図５、図６、図７のそれぞれは、第２、第３、第４、第５、第６の実施形態それぞれの部分拡大断面図である。なお、第２、第３、第４、第５、第６の実施形態のものの外観は第１の実施形態と同様であるので、それらの図示は省略する。【００１４】  図３の第２の実施形態の使い捨てカップ１は、内側ＰＥＴ樹脂フィルム８の外面に、内面に印刷層７が設けられるとともに外面にシリコン樹脂塗料が塗布されて形成された滑り層２０が付された外側ＰＥＴ樹脂フィルム９が貼り付けられた構成とされている。【００１５】  図４の第３の実施形態の使い捨てカップ１は、外面に印刷層７が設けられるとともに内面にシリコン樹脂塗料が塗布されて形成された滑り層２０が付された内側ＰＥＴ樹脂フィルム８の外面に、外側ＰＥＴ樹脂フィルム９が貼り付けられた構成とされている。【００１６】  図５の第４の実施形態の使い捨てカップ１は、内面にシリコン樹脂塗料が塗布されて形成された滑り層２０が付された内側ＰＥＴ樹脂フィルム８の外面に、内面に印刷層７が設けられた外側ＰＥＴ樹脂フィルム９が貼り付けられた構成とされている。【００１７】  図６の第５の実施形態の使い捨てカップ１は、外面に印刷層７が設けられるとともに内面にシリコン樹脂塗料が塗布されて形成された滑り層２０が付された内側ＰＥＴ樹脂フィルム８の外面に、外面にシリコン樹脂塗料が塗布されて形成された滑り層２０が付された外側ＰＥＴ樹脂フィルム９が貼り付けられた構成とされている。【００１８】  図７の第６の実施形態の使い捨てカップ１は、内面にシリコン樹脂塗料が塗布されて形成された滑り層２０が付された内側ＰＥＴ樹脂フィルム８の外面に、内面に印刷層７が設けられるとともに外面にシリコン樹脂塗料が塗布されて形成された滑り層２０が付された外側ＰＥＴ樹脂フィルム９が貼り付けられた構成とされている。【００１９】  上記それぞれの実施形態のものにおいても、使用に際して重ね状態のものにおいて１個の使い捨てカップ１を取り外す際、従来のものに比して、使い捨てカップ１どうしの密着がほとんどなく、また、取り外した使い捨てカップ１が手に吸着することも少ないことが確認された。
【図面の簡単な説明】
【００２０】
【図１】  この考案の使い捨てカップの第１の実施形態の外観斜視図
【図２】  この考案の使い捨てカップの第１の実施形態の部分拡大断面図
【図３】  この考案の使い捨てカップの第２の実施形態の部分拡大断面図
【図４】  この考案の使い捨てカップの第３の実施形態の部分拡大断面図
【図５】  この考案の使い捨てカップの第４の実施形態の部分拡大断面図
【図６】  この考案の使い捨てカップの第５の実施形態の部分拡大断面図
【図７】  この考案の使い捨てカップの第６の実施形態の部分拡大断面図
【符号の説明】
【００２１】１    使い捨てカップ
５    基材シート
７    印刷層
８    内側ＰＥＴ樹脂フィルム
９    外側ＰＥＴ樹脂フィルム
２０  滑り層
【図１】
0003149229.tif 000003
【図２】
0003149229.tif 000004
【図３】
0003149229.tif 000005
【図４】
0003149229.tif 000006
【図５】
0003149229.tif 000007
【図６】
0003149229.tif 000008
【図７】
0003149229.tif 000009